(57)【要約】  本発明は、複数の地図描画画面における描画オブジェクト間の関係性の把握が容易にでき、ユーザの操作性を向上させることが可能となる地図表示装置およびその方法の提供を目的とする。本発明による地図表示装置は、第１画面は、第１表示情報を表示し、第２画面は、第２表示情報を表示し、第１表示情報は、地図情報であり、第１画面および第２画面は、同じまたは異なる大きさであって、ユーザの画面表示に関する操作入力を受け付ける入力部（１）と、入力部（１）で受け付けたユーザの操作入力に応じて、前記第１描画画面および前記第２描画画面の重なり部分では、前記第１描画オブジェクトおよび前記第２描画オブジェクトの一方が他方をマスクし、前記第１描画オブジェクトおよび前記第２描画オブジェクトの前記マスクの程度を制御して表示部（１）に出力する制御部（４）とを備えることを特徴とする。
2013105256.tif 000002
【特許請求の範囲】
【請求項１】
第１描画画面および第２描画画面を含む複数の描画画面を、少なくとも部分的に重ね表示可能な地図表示装置において、
前記第１描画画面は、第１描画オブジェクトを表示し、
前記第２描画画面は、第２描画オブジェクトを表示し、
前記第１描画画面および前記第２描画画面の重なり部分では、前記第１描画オブジェクトおよび前記第２描画オブジェクトの一方が他方をマスクし、
前記第１描画オブジェクトは、地図情報に関する描画オブジェクトであり、
前記第１描画画面および前記第２描画画面は、同じまたは異なる大きさであって、
ユーザの描画画面表示に関する操作入力を受け付ける入力部（１）と、
前記入力部（１）で受け付けたユーザの操作入力に応じて、前記第１描画オブジェクトおよび前記第２描画オブジェクトの前記マスクの程度を制御して表示部（１）に出力する制御部（４）と、
を備えることを特徴とする、地図表示装置。
【請求項２】
前記制御部（４）は、前記入力部（１）で受け付けたユーザの操作入力に応じて、前記第２描画オブジェクトの透明度を制御することを特徴とする、請求項１に記載の地図表示装置。
【請求項３】
前記制御部（４）は、前記入力部（１）で受け付けたユーザの操作入力に応じて、前記第２描画オブジェクトのマスクの程度に代えて、前記第２描画オブジェクトの色相を制御することを特徴とする、請求項１に記載の地図表示装置。
【請求項４】
前記制御部（４）は、前記入力部（１）で受け付けたユーザの操作入力に応じて、前記第１描画画面に対して前記第２描画画面をスライドさせることによって、前記第１描画画面および前記第２描画画面の重なり具合を連続的に変化させた後、さらに前記入力部（１）で受け付けたユーザの操作入力に応じて、前記重なり具合が制御された前記第１描画オブジェクトおよび前記第２描画オブジェクトの前記マスクの程度を制御して前記表示部（１）に出力することを特徴とする、請求項１に記載の地図表示装置。
【請求項５】
前記第１描画画面は、第３描画オブジェクトおよび第４描画オブジェクトを表示し、
前記制御部（４）は、前記入力部（１）で受け付けたユーザの操作入力に応じて、前記第３描画オブジェクトおよび前記第４描画オブジェクトのいずれか一方のマスクの程度を制御することを特徴とする、請求項１に記載の地図表示装置。
【請求項６】
前記第１描画オブジェクトは、道路情報に関する描画オブジェクトを含み、
前記第２描画オブジェクトは、建物の立体表示情報に関する描画オブジェクトであることを特徴とする、請求項１に記載の地図表示装置。
【請求項７】
前記道路情報は、案内経路情報を含むことを特徴とする、請求項６に記載の地図表示装置。
【請求項８】
前記第１描画オブジェクトおよび第２描画オブジェクトは、道路情報に関する描画オブジェクトであることを特徴とする、請求項１に記載の地図表示装置。
【請求項９】
前記第２描画オブジェクトは、前記地図情報に関連する地物の情報に関する描画オブジェクトを含み、
前記制御部（４）は、前記地物に関する描画オブジェクトの色相を制御することを特徴とする、請求項３に記載の地図表示装置。
【請求項１０】
前記第２描画オブジェクトにおいて、前記地物に関する描画オブジェクトの色相は有色であり、前記地物に関する描画オブジェクト以外の描画オブジェクトは透明であることを特徴とする、請求項９に記載の地図表示装置。
【請求項１１】
第１描画画面および第２描画画面を含む複数の描画画面を、少なくとも部分的に重ねて表示する地図表示方法において、
前記第１描画画面は、第１描画オブジェクトを表示し、
前記第２描画画面は、第２描画オブジェクトを表示し、
前記第１描画画面および前記第２描画画面の重なり部分では、前記第１描画オブジェクトおよび前記第２描画オブジェクトの一方が他方をマスクし、
前記第１描画オブジェクトは、地図情報に関する描画オブジェクトを含み、
前記第１描画画面および前記第２描画画面は、同じまたは異なる大きさであって、
（ａ）ユーザの描画画面表示に関する操作入力を受け付けるステップと、
（ｂ）前記複数の描画画面の描画画面表示を行うステップと、
（ｃ）前記ステップ（ｂ）に先立って、前記ステップ（ａ）で受け付けたユーザの操作入力に応じて、前記第１描画画面および前記第２描画画面の重なり部分では、前記第１描画オブジェクトおよび前記第２描画オブジェクトの一方が他方をマスクし、前記第１描画オブジェクトおよび前記第２描画オブジェクトの前記マスクの程度を制御するステップと、
を備えることを特徴とする、地図表示方法。
【請求項１２】
前記ステップ（ｃ）は、前記ステップ（ａ）で受け付けたユーザの操作入力に応じて、前記第２描画オブジェクトの透明度を制御することを特徴とする、請求項１１に記載の地図表示方法。
【請求項１３】
前記ステップ（ｃ）は、前記ステップ（ａ）で受け付けたユーザの操作入力に応じて、前記第２描画オブジェクトのマスクの程度に代えて、前記第２描画オブジェクトの色相を制御することを特徴とする、請求項１１に記載の地図表示方法。
【発明の詳細な説明】
【技術分野】
【０００１】
本発明は、地図表示装置および地図表示方法に関し、特に、複数の地図描画画面を表示面に表示する地図表示装置および地図表示方法に関するものである。
【背景技術】
【０００２】
複数の地図描画画面を表示面に表示する地図表示方法として、例えば表示面を２つに分割し、それぞれの表示領域において、例えば車両の現在位置を中心とする地図描画画面を表示するものがあった（特許文献１参照）。ここで地図描画画面とは、地図を表示する場合の、道路線、文字、地形、建物、アイコン、背景色（透明、または半透明であってもよい）、付属する情報等のオブジェクトである描画オブジェクトを描画した画面のことであり、表示面とは、それらの地図描画画面を実際に表示するディスプレイのことである。地図描画画面は、表示面における所定の表示領域において、表示されることになる。【０００３】
当該地図表示方法によれば、例えば、一方の表示領域において経路誘導に関する地図描画画面を表示し、他方の表示領域においては異なる縮尺で同様の経路誘導に関する地図描画画面を表示することにより、ユーザにとって有益な地図表示方法を実現することが可能であった。【０００４】
また、特許文献１に示す地図表示方法では、左右の表示領域の境界を可変とすることで、その利便性をさらに高めている。
【先行技術文献】
【特許文献】
【０００５】
【特許文献１】特開２００１−１７４２７１号公報
【発明の概要】
【発明が解決しようとする課題】
【０００６】
しかし、上記のような地図表示方法によって同時に表示された複数の地図描画画面では、それぞれの地図描画画面に表示された描画オブジェクト同士の関係性の把握が、必ずしも容易でないという問題があった。【０００７】
例えば、車両の現在位置を示す地図描画画面同士において、一方を高速道路の地図描画画面、他方を一般道路の地図描画画面とするとき、また、一方を平面表示の地図描画画面、他方を立体表示の地図描画画面とするときでも、両表示領域に表示された地図描画画面における描画オブジェクトがどのように対応しているかを把握するには、ユーザが両表示領域を交互に見比べ、目印となる建物等を頼りに判断する必要があった。【０００８】
本発明は、上記のような問題を解決するためになされたものであり、複数の地図描画画面を表示する地図表示装置およびその方法であって、地図描画画面における描画オブジェクト間の関係性の把握が容易にでき、ユーザの操作性を向上させることを可能とする地図表示装置およびその方法の提供を目的とする。
【課題を解決するための手段】
【０００９】
上記の課題を解決するために、本発明による地図表示装置は、第１描画画面および第２描画画面を含む複数の描画画面を、少なくとも部分的に重ね表示可能な地図表示装置において、第１描画画面は、第１描画オブジェクトを表示し、第２描画画面は、第２描画オブジェクトを表示し、第１描画オブジェクトは、地図情報に関する描画オブジェクトであり、第１描画画面および第２描画画面は、同じまたは異なる大きさであって、ユーザの描画画面表示に関する操作入力を受け付ける入力部（１）と、入力部（１）で受け付けたユーザの操作入力に応じて、第１描画画面および第２描画画面の重なり部分では、第１描画オブジェクトおよび第２描画オブジェクトの一方が他方をマスクし、第１描画オブジェクトおよび第２描画オブジェクトのマスクの程度を制御して表示部（１）に出力する制御部（４）とを備えることを特徴とする。【００１０】
また、本発明による地図表示方法は、第１描画画面および第２描画画面を含む複数の描画画面を、少なくとも部分的に重ねて表示する地図表示方法において、第１描画画面は、第１描画オブジェクトを有し、第２描画画面は、第２描画オブジェクトを有し、第１描画画面および第２描画画面の重なり部分では、第１描画オブジェクトおよび第２描画オブジェクトの一方が他方をマスクし、第１描画オブジェクトは、地図情報に関する描画オブジェクトを含み、第１描画画面および第２描画画面は、同じまたは異なる大きさであって、（ａ）ユーザの描画画面表示に関する操作入力を受け付けるステップと、（ｂ）複数の描画画面の描画画面表示を行うステップと、（ｃ）ステップ（ｂ）に先立って、ステップ（ａ）で受け付けたユーザの操作入力に応じて、第１描画画面および第２描画画面の重なり部分では、第１描画オブジェクトおよび第２描画オブジェクトの一方が他方をマスクし、第１描画オブジェクトおよび第２描画オブジェクトのマスクの程度を制御するステップとを備えることを特徴とする。
【発明の効果】
【００１１】
本発明によれば、第１描画画面および第２描画画面を含む複数の描画画面を、少なくとも部分的に重ね表示可能な地図表示装置において、第１描画画面は、第１描画オブジェクトを表示し、第２描画画面は、第２描画オブジェクトを表示し、第１描画オブジェクトは、地図情報に関する描画オブジェクトであり、第１描画画面および第２描画画面は、同じまたは異なる大きさであって、ユーザの描画画面表示に関する操作入力を受け付ける入力部（１）と、入力部（１）で受け付けたユーザの操作入力に応じて、第１描画画面および第２描画画面の重なり部分では、第１描画オブジェクトおよび第２描画オブジェクトの一方が他方をマスクし、第１描画オブジェクトおよび第２描画オブジェクトのマスクの程度を制御して表示部（１）に出力する制御部（４）とを備えるため、複数の地図画面を表示面に表示する場合において、各画面における情報の関係性の把握を容易にでき、かつユーザの操作性を向上させることが可能となる。【００１２】
また、本発明によれば、第１描画画面および第２描画画面を含む複数の描画画面を、少なくとも部分的に重ねて表示する地図表示方法において、第１描画画面は、第１描画オブジェクトを有し、第２描画画面は、第２描画オブジェクトを有し、第１描画画面および第２描画画面の重なり部分では、第１描画オブジェクトおよび第２描画オブジェクトの一方が他方をマスクし、第１描画オブジェクトは、地図情報に関する描画オブジェクトを含み、第１描画画面および第２描画画面は、同じまたは異なる大きさであって、（ａ）ユーザの描画画面表示に関する操作入力を受け付けるステップと、（ｂ）複数の描画画面の描画画面表示を行うステップと、（ｃ）ステップ（ｂ）に先立って、ステップ（ａ）で受け付けたユーザの操作入力に応じて、第１描画画面および第２描画画面の重なり部分では、第１描画オブジェクトおよび第２描画オブジェクトの一方が他方をマスクし、第１描画オブジェクトおよび第２描画オブジェクトのマスクの程度を制御するステップとを備えるため、複数の地図画面を表示面に表示する場合において、各画面における情報の関係性の把握を容易にでき、かつユーザの操作性を向上させることが可能となる。【００１３】
この発明の目的、特徴、局面、および利点は、以下の詳細な説明と添付図面とによって、より明白となる。
【図面の簡単な説明】
【００１４】
【図１】地図表示装置の概念的な全体構成を示す図である。
【図２】地図表示装置の制御部の概念的な構成を示す図である。
【図３】地図表示装置の動作を説明するフローチャートである。
【図４】地図表示装置の動作を説明するフローチャートである。
【図５】地図表示装置の動作を説明するフローチャートである。
【図６】地図表示装置の動作を説明する図である。
【図７】地図表示装置の動作を説明する図である。
【図８】地図表示装置の動作を説明する図である。
【図９】地図表示装置の動作を説明するフローチャートである。
【図１０】地図表示装置の動作を説明する図である。
【図１１】地図表示装置の動作を説明する図である。
【図１２】地図表示装置の動作を説明するフローチャートである。
【図１３】地図表示装置の動作を説明する図である。
【図１４】地図表示装置の動作を説明する図である。
【図１５】地図表示装置の動作を説明するフローチャートである。
【図１６】地図表示装置の動作を説明する図である。
【図１７】地図表示装置の動作を説明する図である。
【図１８】地図表示装置の動作の具体例を示す図である。
【図１９】地図表示装置の動作の具体例を示す図である。
【図２０】地図表示装置の動作の具体例を示す図である。
【図２１】地図表示装置の動作の具体例を示す図である。
【図２２】地図表示装置の動作の具体例を示す図である。
【図２３】地図表示装置の動作の具体例を示す図である。
【図２４】地図表示装置の動作の具体例を示す図である。
【発明を実施するための形態】
【００１５】
＜実施の形態１＞
＜構成＞
図１を参照し、本実施の形態１にかかる地図表示装置の概念的な全体構成を説明する。なお、地図表示装置についてはその用途を特に限定しないが、以下の本実施の形態１では移動体としての車両に搭載されたカーナビゲーション装置を想定し、説明する。
【００１６】
図１に示すように地図表示装置は、ユーザの意図に沿う入力情報を受け取り、情報を表示する入力兼表示部１と、入力兼表示部１において受け取った入力情報に基づいて、入力兼表示部１における地図描画画面の表示動作を制御する制御部４と、制御部４における動作制御の際に、参照される地図情報に関する描画オブジェクト等が格納された、第１情報格納部２および第２情報格納部３とを備える。
【００１７】
描画オブジェクトは、描画画面内に表示される、道路線、文字、地形、建物、アイコン、背景色（透明、または半透明であってもよい）、付属する情報等のオブジェクトである。描画オブジェクトに含まれる背景色（背景オブジェクト）としては、一様に色が塗られたものに限らず、グラデーションが施されたものや、描画画面内を部分的に塗るものであってもよい。
【００１８】
入力兼表示部１は、例えばタッチパネル（タッチパネル付き表示装置）によって実現され、ユーザの表示面への接触（タッチ）を受け、表示面上におけるタッチ位置および動作等からユーザの意図を解析する。ユーザの意図として想定されるものには、表示されている地図に対する操作や、経路探索指示、内蔵されるオーディオ機器等に対する操作等がある。地図に対する操作とは、例えば縮尺の変更や、表示する地図上の位置の変更（スクロール）、現在位置周辺の情報検索、当該情報の比較等である。
【００１９】
第１情報格納部２および第２情報格納部３は、地図情報に関する描画オブジェクト等を格納する。具体的には、地形等を示す地図データ、当該地図上の位置に対応付けられた道路データ、建物データ（図形、形状）、背景色データ等を格納している。ここで建物データとは、建物自体の立体形状や、種別、名称等を示すデータである。なお、第１情報格納部および第２情報格納部３に格納される情報は描画オブジェクトに限られるものではなく、入力兼表示部１に表示するための様々な情報を格納することができる。
【００２０】
第１情報格納部２および第２情報格納部３は、具体的には、ハードディスクドライブやメモリーカード、ＤＶＤやブルーレイディスク等で実現される。
【００２１】
制御部４は、地図表示装置に備えられる各機能部を制御し、入力兼表示部１に地図描画画面を表示させる。図１に示すように制御部４は、ユーザからの入力情報を解析することによって、地図描画画面の作成に必要となる、描画オブジェクトに関する抽出条件を形成する。例えば、制御部４が入力情報を解析して、ユーザの意図が「周辺の高速道路の情報の検索」であった場合に、現在位置周辺の一般道路の描画オブジェクトと、現在位置周辺の高速道路の描画オブジェクトとを抽出する条件を形成することができる。
【００２２】
さらに制御部４は、当該抽出条件に基づいて第１情報格納部２および第２情報格納部３から描画オブジェクトをそれぞれ抽出し、入力兼表示部１に所望の態様で表示させる。制御部４は、具体的にはコンピュータ（ＣＰＵ）とそのプログラムで実現されるものである。
【００２３】
図２は、図１に示す地図表示装置の構成において、特に制御部４の概念的構成を詳細に示したものである。
【００２４】
入力兼表示部１から入力された入力情報を解析する入力解析部４０１と、入力解析部４０１における解析結果に基づいて、第１情報描画部４０３および第２情報描画部４０５、合成描画部４０７を制御し、入力兼表示部１に地図描画画面を表示させる全体制御部４０２と、第１情報格納部２において格納された描画オブジェクトである第１描画オブジェクトを抽出し、第１描画画面保持部４０４に、当該第１描画オブジェクトによる地図描画画面である第１描画画面を描画する第１情報描画部４０３と、第２情報格納部３において格納された描画オブジェクトである第２描画オブジェクトを抽出し、第２描画画面保持部４０６に、当該第２描画オブジェクトによる地図描画画面である第２描画画面を描画する第２情報描画部４０５と、第１描画画面を保持する第１描画画面保持部４０４と、第２描画画面を保持する第２描画画面保持部４０６と、第１描画画面と第２描画画面とを合成した合成描画画面を、合成描画画面保持部４０８に描画する合成描画部４０７と、合成描画部４０７で作成した合成描画画面を保持する合成描画画面保持部４０８とを備える。合成描画画面保持部４０８に保持された合成描画画面は、入力兼表示部１において表示される。
【００２５】
入力解析部４０１は、ユーザの意図による入力情報を解析する。すなわち、描画画面表示内容とユーザが表示面にタッチした位置や動作等の条件を解析し、ユーザの意図に沿う操作（機器操作等）を識別する。ここで、ユーザのタッチパネル操作には、従来からある単なるアイコンをタッチする単純タッチ操作（通常タッチ操作）と、動きのある「ジェスチャー操作」すなわち、後述の「引きずり操作」や「飛ばし操作」等がある。
【００２６】
全体制御部４０２では、当該解析結果に基づいて必要となる描画オブジェクトを特定し、第１情報描画部４０３に、第１情報格納部２から第１描画オブジェクトを抽出させ、第２情報描画部４０５に、第２情報格納部３から第２描画オブジェクトを抽出させる。
【００２７】
第１情報描画部４０３は、抽出した第１描画オブジェクトから第１描画画面を形成し、第１描画画面保持部４０４（メモリ部）に描画する。当該描画は、抽出された第１描画オブジェクトにおける、地図情報としての、地図データや道路データ、建物データ等を組み合わせて実現される。
【００２８】
第２情報描画部４０５は、抽出した第２描画オブジェクトから第２描画画面を形成し、第２描画画面保持部４０６（メモリ部）に描画する。当該描画は、抽出された第２描画オブジェクトにおける、地図情報としての、地図データや道路データ、建物データ等を組み合わせて実現される。
【００２９】
第１情報描画部４０３および第２情報描画部４０５では、例えば、車両の現在位置データ、経路探索動作によって得られた車両の目的地までの経路データ等の、装置内で生成された情報についても、それぞれで形成した地図描画画面（第１描画画面、第２描画画面）に付加して、対応する描画画面保持部に描画することができる。
【００３０】
さらに全体制御部４０２では、第１描画画面保持部４０４に保持された第１描画画面と第２描画画面保持部４０６に保持された第２描画画面とを合成描画部４０７に合成させ、合成描画画面保持部４０８（メモリ部）に描画させる。合成描画画面は、合成描画画面保持部４０８（メモリ部）において保持された後、入力兼表示部１において表示される。
【００３１】
合成描画部４０７は、第１描画画面と第２描画画面とが、それぞれの描画内容を保持したまま、全部あるいは部分的に重なって表示されるように合成し、合成描画画面とする。第１描画画面と第２描画画面とが重なって表示されることで、そのうち下の描画画面の描画オブジェクトが、上の描画画面の描画オブジェクトにマスクされる（上の描画画面の描画オブジェクトの表示によって、下の描画画面の描画オブジェクトが非表示となる）ことになる。
【００３２】
重なって表示される部分は、通常は上に重なっている地図描画画面の描画オブジェクトが見える状態となっているが、重なり具合を制御することにより、下に表示されている地図描画画面の描画オブジェクトを見ることができる。なお、ここでいう「上下」とは、表示面の法線方向における上下であり、より手前側を「上」とするものであるが、実際には描画画面のデータを概念的に重ねているものである。
【００３３】
合成される第１描画画面および第２描画画面はそれぞれ、あらかじめ設定された第１注目点、第２注目点を有することができる。
【００３４】
ここで第１注目点および第２注目点とは、ユーザが描画画面上で特に注目する点を指し、ユーザが第１描画画面と第２描画画面の双方を参照する際に比較対象とする点として主観的に定義される。例えば、車両の周辺地図における車両の現在位置や、目的地周辺地図における目的地の位置など、描画画面の作成目的となる点が該当し得る。
【００３５】
合成される地図描画画面のそれぞれに表示される描画オブジェクト間には、所定の関連性を有することができる。所定の関連性としては、例えば、車両の地図上の位置が一致または近傍であることによる関連、車両の現在位置と目的地との間等の移動経路上の関連、同車両の現在の走行路と過去の走行履歴といった時間的関連等がある。
【００３６】
地図描画画面を重ねる順序は、ユーザの意図に沿うように、例えば、描画オブジェクトの組み合わせごとに決定することができる。また、重ねる順序の変更も随時可能である。このとき、実際の空間配置に対応した上下関係（高架道路地図と一般道路地図との関係や、地上地図と地中地図との関係）で表示することで、把握をより容易にすることもできる。特定の組み合わせには、特定の上下関係を定義してもよい。
【００３７】
＜動作＞
次に、本実施の形態１にかかる地図表示装置の動作の概要について説明する。
【００３８】
本発明にかかる地図表示装置は、上に重ねられる地図描画画面の描画オブジェクトを所定の操作で更新（具体的には、所定の操作によって上に重ねられる地図描画画面の描画オブジェクトの透明度を変更）して下の地図描画画面の描画オブジェクトを視認可能とすることで、複数の地図描画画面における描画オブジェクトの関係性を容易に把握させるものである。動作に際しては、制御部４の特に全体制御部４０２において各機能部の制御が行われる。
【００３９】
また、本実施の形態１では、上に重ねられる地図描画画面の表示位置を更新する具体的方法として、スライド方法を用いる。スライド方法とは、以下に示す、上に重ねられる地図描画全体が連続的に移動する、すなわち、上に重ねられる地図描画画面の描画オブジェクトがスライドに連動してスライド方向に移動する第１の方法、または、上に重ねられる地図描画画面の描画オブジェクトの表示を部分的に切り替え、上に重ねられる地図描画画面の表示領域を連続的に変動（増やすまたは減らす）させていく、すなわち、上に重ねられる地図描画画面の描画オブジェクトの表示位置は変化させずに、下の地図描画画面の描画オブジェクトと重なる領域だけを変化させる第２の方法である。なお、上に重ねられる地図描画画面の表示位置がどのように更新されるかは、ユーザの表示面に対する操作態様や、地図の組み合わせに対してあらかじめなされた設定等によって変更することができる。
【００４０】
具体的な動作について、図３を参照しつつ、説明する。
【００４１】
まずステップＳＴ１０において、地図表示装置の電源を入れ、入力兼表示部１において初期画面を表示させる。初期画面は通常表示モード、すなわち、通常タッチ操作を受け付けるモードとすることができる。
【００４２】
次にステップＳＴ１１において、入力兼表示部１において初期画面に所定の操作を行い、スライド表示モードに遷移させる。ここでスライド表示モードとは、上記のスライド方法を用いて、上に重ねられる地図描画画面の表示位置を更新できるモードのことである。
【００４３】
当該遷移（スライド表示モードへの遷移）は、初期画面における、例えばタッチ操作、ボタン操作、アイコン操作、ジェスチャー操作、音声認識等によって行うことができる。
【００４４】
スライド表示モードに遷移しているか否かを確認する場合には、全体制御部４０２に格納された、モードの種類を記憶するパラメータを参照することにより行うことができる。例えば、パラメータの値が所定の閾値より大きいまたは小さいことをもって、スライド表示モードであるか否かを判断できる。パラメータの値は、ユーザからの入力に応じて変更されるものであってもよいし、あらかじめ設定した条件（車両状態や表示面における表示状態を含む）で自動的に変更されるものであってもよい。また入力兼表示部１において、スライド表示モードであるか否かを示すアイコン等が表示されるように設定しておくと、容易にモードの確認ができ便利である。
【００４５】
スライド表示モードに遷移したら、ステップＳＴ１２において、スライド距離Ｘ０を０に設定する。
【００４６】
次にステップＳＴ１３において、第１描画画面および第２描画画面を作成する。当該作成は、上記のようにユーザの入力情報に従って、第１情報描画部４０３および第２情報描画部４０５において行う。作成した第１描画画面は第１描画画面保持部４０４に、第２描画画面は第２描画画面保持部４０６に、それぞれ描画され保持される。
【００４７】
次にステップＳＴ１４において、上に重ねられる地図描画画面の表示位置を更新する所定の操作（スライド操作）が行われたか否かを検出する。当該検出は、入力兼表示部１におけるジェスチャー操作等を、入力解析部４０１において解析することで行う。スライド操作を検出した場合にはステップＳＴ１５へ、スライド操作を検出しない場合にはステップＳＴ１６へそれぞれ進む。
【００４８】
次にステップＳＴ１５において、スライド操作に基づいてスライド距離Ｘ０を更新する。
【００４９】
次にステップＳＴ１６において、第１描画画面および第２描画画面において表示された描画オブジェクトを更新する。当該更新は、車両の移動等によって時々刻々変化する、描画画面内に表示される車両周辺の範囲や、描画オブジェクトとして表示される地図情報等（道路データ、建物データ、走行履歴を示すデータ等を含む）を更新するものである。
【００５０】
次にステップＳＴ１７において、スライド距離Ｘ０に従って、上に重ねられる地図描画画面の表示位置を決定し、第１描画画面と第２描画画面とから合成描画画面を作成する。そして、作成した合成描画画面を入力兼表示部１に描画、すなわち表示する。詳細については後述する。
【００５１】
次にステップＳＴ１８において、スライド表示モードを終了する所定の操作を検出する。当該操作が検出された場合にはステップＳＴ１９へ進み、当該操作が検出されない場合にはステップＳＴ１４へ戻る。スライド表示モードの終了は、例えばタッチ操作、ボタン操作、アイコン操作、ジェスチャー操作、音声認識等によって行うことができる。
【００５２】
次にステップＳＴ１９において、通常表示モードに遷移し、ステップＳＴ１１に戻る。
【００５３】
次に、ステップＳＴ１６の詳細について、図４を参照しつつ説明する。ステップＳＴ１６では、上述の通り、車両の移動等によって時々刻々変化する、描画画面内に表示される車両周辺の範囲や、描画オブジェクトとして表示される地図情報（道路データ、建物データ、走行履歴を示すデータ等を含む）等、第１描画画面および第２描画画面において表示された描画オブジェクトを更新しているが、ユーザによる所定の操作に従って、第２描画画面における第２描画オブジェクトの透明度の変更を行っている。
【００５４】
図４に示すように、ステップＳＴ１６１において、入力解析部４０１は、第２描画画面におけるユーザが入力兼表示部１を介してジェスチャー動作によって指定（指示）した範囲を特定する。例えば、図２２に関連して後述するような、引きずり操作あるいは飛ばし操作と同様の操作があった場合は、当該操作が行われた画面上の範囲を特定する。
【００５５】
次にステップＳＴ１６２において、ユーザが指定した範囲内の描画オブジェクトを特定する。例えば、図２２に関連して後述するような、特定した領域内のオブジェクトを特定する。
【００５６】
次にステップＳＴ１６３において、特定した描画オブジェクトを半透過表示（半透明表示）にする。なお、ここでは半透過表示にしているが、透過表示（透明表示）にしてもよい。すなわち、全体制御部４０２は、入力兼表示部１で受け付けたユーザの操作入力に応じて、第１、第２描画オブジェクトのマスクの程度を制御しており、マスクの程度を変更するために第２描画画面の第２描画オブジェクトを透明または半透明に制御（すなわち、透明度を制御）する。
【００５７】
次にステップＳＴ１６４において、半透過処理しない描画オブジェクトと、半透過処理した描画オブジェクトとを含む第２描画画面を、第２描画画面保持部４０６に描画して保持させる。
【００５８】
次に、ステップＳＴ１７の詳細について、図５〜８を参照しつつ説明する。当該ステップでは合成描画画面の作成が行われるが、上に重ねた地図描画画面のスライド方法として、上に重ねられた地図描画画面全体を連続的に移動する、すなわち、上に重ねられる地図描画画面の描画オブジェクトがスライドに連動してスライド方向に移動する第１の方法（以下、ボードスライド）を用いて合成描画画面の作成を行う場合を説明する。特に、ボードスライドによるスライドアウト、すなわち、地図描画画面同士が全て重なった状態（全重ね状態）から、上に重ねた地図描画画面が移動し、表示面外へ出ていく方法を用いる場合を説明する。なお以下では、上に重ねる地図描画画面を第２描画画面とするが、逆であってもよい。
【００５９】
まずステップＳＴ４１１において、第１描画画面保持部４０４に保持された第１描画画面を合成描画画面保持部４０８に描画する。
【００６０】
次にステップＳＴ４１２において、スライド操作によって更新したスライド距離Ｘ０に従って、第２描画画面の第１描画画面への重なり位置を決定する。図６および図７に、描画画面に表示される描画オブジェクトの表示位置がそれぞれ異なる場合の、描画画面の合成方法を模式的に示す。
【００６１】
スライド距離Ｘ０が０である場合には、第１描画画面と第２描画画面とが完全に重なり、第２描画オブジェクトが第１描画オブジェクトを全てマスクする位置にする。注目点が設定されている場合には、第１描画画面における第１注目点と第２描画画面における第２注目点とが、表示面において重なって一致するような位置にしておくことが望ましい。すなわち、第１描画画面および第２描画画面において車両の周辺地図が示されている場合には、それぞれの描画画面における車両の現在位置が一致するような位置にすることが望ましい（この場合には、第１注目点と第２注目点との地図上の位置も共通している）。
【００６２】
スライド距離Ｘ０が０以外に更新された場合には、ユーザが例えばジェスチャー操作において表示面にタッチした位置、動作に基づくスライド距離Ｘ０に応じて、第２描画画面の第１描画画面への重なり位置を決定する。
【００６３】
例えば、ユーザが表示面にタッチし移動した距離（図６および図７におけるスライド距離Ｘ０）をオフセットとして、第２描画画面の画面端が位置する重なり開始位置に設定する。当該操作のように、所定のタッチ操作（例えば、表示面上のある方向へ所定の速度以下で指を動かす）に追随して上に重ねられる描画画面が移動する操作を引きずり操作といい、当該操作を行うモードを引きずりモードと呼ぶ。
【００６４】
また例えば、ユーザが表示面にタッチし移動した距離（図６および図７におけるスライド距離Ｘ０）をオフセットとして、第２描画画面の画面端が位置する重なり開始位置に設定し、ユーザが表示面にタッチする操作を終了すると同時に、タッチし移動する前の、元の重なり位置に戻す。当該操作のように、所定のタッチ操作（例えば、表示面上のある方向へ所定の速度以下で指を動かす）に追随して上に重ねられる描画画面を移動させ、タッチ操作の終了と同時に元の重なり位置まで戻す操作をシャッター操作といい、当該操作を行うモードをシャッターモードと呼ぶ。シャッター操作と引きずり操作とは、例えば、表示面にタッチする指の本数で区別することもできる。
【００６５】
また例えば、ユーザが表示面にタッチしトランプを飛ばすような動作（はじくような動作）をした場合には、時間とともに増加する量（図６および図７におけるスライド距離Ｘ０が時間とともに増加する）をオフセットとして、第２描画画面の重なり開始位置を設定する。当該操作のように、所定のタッチ操作で指定した方向に上に重ねられる描画画面を移動させ、以降は所定の慣性に従って移動させる操作を飛ばし操作といい、当該操作を行うモードを飛ばしモードと呼ぶ。
【００６６】
飛ばしモードでは、例えば次の条件や組み合わせで飛ばし操作を判断する。（ａ）タッチパネルにタッチした後、表示面上のある方向へ所定の速度以上で指をすばやく動かした場合、（ｂ）タッチパネルを押した後、表示面上のある方向へ予め定められた所定の速度以上で、押圧を下げて指をすばやく動かす場合、（ｃ）タッチパネルにタッチした後、表示面上のある方向へ予め定められた所定の速度以上で指をすばやく動かし、指をタッチパネルからやや離す場合である（ただし、この場合には、３次元位置を認識するタッチパルが必要である）。
【００６７】
なお、（ａ）〜（ｃ）における所定の速度として設定される速度は、それぞれの条件ごとに異なる速度であってもよい。
【００６８】
次にステップＳＴ４１３において、重なり位置、具体的には重なり開始位置に従って、第２描画画面を重ねて描画（データを上書き）する。例えば、表示面の右側へスライドアウトする場合には、第２描画画面の左端が重なり開始位置に一致するように重ねて描画する。
【００６９】
第１描画画面に重なりきらない部分（図６および図７におけるＰ２）は、表示面には表示しない。この状態においては、第２描画画面が重ならないスライド距離Ｘ０の幅の第１描画画面の第１描画オブジェクトと、第２描画画面左端から幅Ｄ１分の、第２描画画面の第２描画オブジェクト（図６および図７におけるＰ１）とが、表示面に表示されることになる。ここで図６および図７における幅Ｄ１は、合成描画画面において表示される第２描画画面の幅に相当する長さである。
【００７０】
上記のような合成描画画面の作成を順次行うことで、図８に示す動作（ボードスライドによるスライドアウト）が可能となる。図８では、描画オブジェクトＡ、描画オブジェクトＢ、描画オブジェクトＣ、第１背景描画オブジェクトを描画した第１描画画面上に、描画オブジェクトａ、描画オブジェクトｂ、描画オブジェクトｃ、第２背景描画オブジェクトを描画した第２描画画面を重ねている。仮に、第１描画画面における第１注目点を描画オブジェクトＡ、第２描画画面における第２注目点を描画オブジェクトａとする。第１背景描画オブジェクトおよび第２背景描画オブジェクトのそれぞれは、例えば、第１描画画面および第２描画画面と同一の大きさでクリーム色に塗られた長方形オブジェクトである。第２描画画面には第２背景描画オブジェクトの上に、描画オブジェクトａ、描画オブジェクトｂ、描画オブジェクトｃが描画されている。
【００７１】
図８において、（１ａ）（２ａ）（３ａ）は、下側の第１描画画面と上側の第２描画画面とを、側面方向から見た模式図であり、（１ｂ）（２ｂ）（３ｂ）は、第１描画画面と第２描画画面とを上面方向から見た模式図である。
【００７２】
ユーザの指で入力兼表示部１にタッチし、図における右方向に移動させていく（引きずり操作）。そうすると、上側の第２描画画面の重なり開始位置が順次更新され（１ａ→２ａ→３ａ、もしくは、１ｂ→２ｂ→３ｂ）、第２描画画面全体がボードに乗ってスライドしたように表示される（ボードスライド）。
【００７３】
すなわち上記のスライド動作をさせた場合、図８における描画オブジェクトａ、描画オブジェクトｂ、描画オブジェクトｃが、第２背景描画オブジェクトとともにボードに乗っているように右側へ移動していく。
【００７４】
（１ａ）および（１ｂ）の状態では、第１描画画面と第２描画画面とが完全に重なり、描画オブジェクトＡ、描画オブジェクトＢ、描画オブジェクトＣが第２背景描画オブジェクトにマスクされている。例えば、第１描画画面および第２描画画面において車両の周辺地図が示されている場合には、それぞれの描画画面における車両の現在位置が一致している（すなわち、第１注目点と第２注目点との地図上の位置が一致している）。なお、第２描画画面が第１描画画面に対して小さい画面であるときは、第２描画画面の大きさ分の第１描画画面上の領域に、第２描画画面が重なっていればよい。
【００７５】
（２ａ）および（２ｂ）の状態では、描画オブジェクトａおよび描画オブジェクトｂは表示面に表示されているが、一番右側の描画オブジェクトｃが入力兼表示部１の表示面から外れ、表示されなくなる。一方で描画オブジェクトＡは表示されているが、描画オブジェクトＢは第２背景描画オブジェクトにマスクされ非表示となり、描画オブジェクトＣは第２背景描画オブジェクトにマスクされ非表示となる。またこのとき、上側の第２描画画面と下側の第１描画画面との相対位置関係が随時変化している。
【００７６】
（３ａ）および（３ｂ）の状態では、上側の第２描画画面がさらに右へ移動し、描画オブジェクトｂも入力兼表示部１の表示面から外れ、表示されなくなる。一方で描画オブジェクトＡおよび描画オブジェクトＢは表示されているが、描画オブジェクトＣは第２背景描画オブジェクトにマスクされ非表示となる。またこのとき、上側の第２描画画面と下側の第１描画画面との相対位置関係が随時変化している。
【００７７】
次に図９〜１１を参照して、ボードスライドによるスライドイン、すなわち、地図描画画面が重なっていない状態（全ずれ状態）から、上に重なる地図描画画面が表示面外から移動してきて重なり、地図描画画面同士が重なった状態（全重ね状態）となっていく方法を用いて合成描画画面の作成を行う場合を説明する。
【００７８】
まずステップＳＴ４３１において、第１描画画面保持部４０４に保持された第１描画画面を合成描画画面保持部４０８に描画する。
【００７９】
次にステップＳＴ４３２において、スライド操作によって更新したスライド距離Ｘ０に従って、第２描画画面の第１描画画面への重なり位置を決定する。図１０および図１１に、描画画面に表示される描画オブジェクトの表示位置がそれぞれ異なる場合の、描画画面の合成方法を模式的に示す。
【００８０】
スライド距離Ｘ０が０である場合には、例えば、第２描画画面が完全に表示面外となるような位置にしておく。
【００８１】
スライド距離Ｘ０が０以外に更新された場合には、ユーザが例えばジェスチャー操作において表示面にタッチした位置、動作に基づくスライド距離Ｘ０に応じて、第２描画画面の第１描画画面への重なり位置を決定する。
【００８２】
注目点が設定されている場合には、スライド距離Ｘ０の更新によって、第１描画画面における第１注目点と第２描画画面における第２注目点とが近づいていくように、第２描画画面の第１描画画面への重なり位置を決定されることが望ましい。
【００８３】
次にステップＳＴ４３３において、重なり位置、具体的には重なり開始位置に従って、第２描画画面を重ねて描画する。例えば、表示面の左側からスライドインする場合には、第２描画画面の右端が重なり開始位置に一致するように重ねて描画する。
【００８４】
第１描画画面に重なりきらない部分（図１０および図１１におけるＰ１）は、表示面に表示しない。この状態においては、第２描画画面が重ならない幅Ｄ１の第１描画画面の第１描画オブジェクトと、第２描画画面右端からスライド距離Ｘ０分の、第２描画画面の第２描画オブジェクト（図１０および図１１におけるＰ２）とが、表示面に表示されることになる。
【００８５】
次に図１２〜１４を参照して、図９〜１１における場合とは逆側からの、ボードスライドによるスライドインについて説明する。
【００８６】
まずステップＳＴ４４１において、第１描画画面保持部４０４に保持された第１描画画面を合成描画画面保持部４０８に描画する。
【００８７】
次にステップＳＴ４４２において、スライド操作によって更新したスライド距離Ｘ０に従って、第２描画画面の第１描画画面への重なり位置を決定する。図１３および図１４に、描画画面に表示される描画オブジェクトの表示位置がそれぞれ異なる場合の、描画画面の合成方法を模式的に示す。
【００８８】
スライド距離Ｘ０が０である場合には、例えば、第２描画画面が完全に表示面外となるような位置にしておく。ただし、図１０および図１１における場合とは逆側（右側）の表示面外となっている。
【００８９】
スライド距離Ｘ０が０以外に更新された場合には、ユーザが例えばジェスチャー操作において表示面にタッチした位置、動作に基づくスライド距離Ｘ０に応じて、第２描画画面の第１描画画面への重なり位置を決定する。
【００９０】
次にステップＳＴ４４３において、重なり位置、具体的には重なり開始位置に従って、第２描画画面を重ねて描画する。例えば、表示面の右側からスライドインする場合には、第２描画画面の左端が重なり開始位置に一致するように重ねて描画する。
【００９１】
第１描画画面に重なりきらない部分（図１３および図１４におけるＰ２）は、表示面に表示しない。この状態においては、第２描画画面が重ならない幅Ｄ１の第１描画画面の第１描画オブジェクトと、第２描画画面左端からスライド距離Ｘ０分の、第２描画画面の第２描画オブジェクト（図１３および図１４におけるＰ１）とが、表示面に表示されることになる。図１０および図１１の場合とは、左右の並び関係が入れ替わって表示されている。
【００９２】
以上に示したスライド方法は、上に重ねる描画画面が移動し、その移動に合わせて下の描画画面が見える範囲が変化するものである。スライドの方法は上記の場合に限られず、スライドの方向、スライドする際の上の描画画面の動き等、様々なバリエーションが考えられる。
【００９３】
さらに、他のスライド方法の場合におけるステップＳＴ１７の詳細について、図１５〜１７を参照しつつ説明する。当該ステップでは合成描画画面の作成が行われるが、上に重ねた地図描画画面のスライド方法として、上に重ねられる地図描画画面の描画オブジェクトの表示を部分的に切り替え、上に重ねられる地図描画画面の表示領域を連続的に変動（増やすまたは減らす）させていく、すなわち、上に重ねられる地図描画画面の描画オブジェクトの表示位置は変化させずに、下の地図描画画面の描画オブジェクトと重なる領域だけを変化させる第２の方法（以下、カーテンスライド）を用いて、合成描画画面の作成を行う場合を説明する。特に、カーテンスライドによるスライドアウト、すなわち、地図描画画面同士が重なった状態（全重ね状態）から、上に重ねた地図描画画面がその位置を維持しながら連続的に除去され、下にある地図描画画面が表示される表示領域となっていく方法を用いる場合を説明する。なお以下では、上に重ねる地図描画画面を第２描画画面とするが、逆であってもよい。
【００９４】
まずステップＳＴ４２１において、第１描画画面保持部４０４に保持された第１描画画面を合成描画画面保持部４０８に描画する。
【００９５】
次にステップＳＴ４２２において、スライド操作によって更新したスライド距離Ｘ０に従って、第２描画画面の第１描画画面への重なり位置を決定する。
【００９６】
スライド距離Ｘ０が０である場合には、第１描画画面と第２描画画面とが完全に重なり、第２描画オブジェクトが第１描画オブジェクトを全てマスクする位置にする。注目点が設定されている場合には、第１描画画面における第１注目点と第２描画画面における第２注目点とが、表示面において重なって一致するような位置にしておくことが望ましい。すなわち、第１描画画面および第２描画画面において車両の周辺地図が示されている場合には、それぞれの描画画面における車両の現在位置が一致するような位置にすることが望ましい。
【００９７】
スライド距離Ｘ０が０以外に更新された場合には、ユーザが例えばジェスチャー操作において表示面にタッチした位置、動作に基づくスライド距離Ｘ０に応じて、第２描画画面の第１描画画面への重なり位置を決定する。
【００９８】
例えば、ユーザが表示面にタッチし移動した距離（図１６におけるスライド距離Ｘ０）をオフセットとして、第２描画画面の除去されていく画面端が位置する重なり開始位置に設定する。当該操作のように、所定のタッチ操作（例えば、表示面上のある方向へ所定の速度以下で指を動かす）に追随して上に重ねられる描画画面が移動する操作を引きずり操作といい、当該操作を行うモードを引きずりモードと呼ぶ。
【００９９】
また例えば、ユーザが表示面にタッチし移動した距離（図１６におけるスライド距離Ｘ０）をオフセットとして、第２描画画面の画面端が位置する重なり開始位置に設定し、ユーザが表示面にタッチする操作を終了すると同時に、タッチし移動する前の、元の重なり位置に戻す。当該操作のように、所定のタッチ操作（例えば、表示面上のある方向へ所定の速度以下で指を動かす）に追随して上に重ねられる描画画面を移動させ、タッチ操作の終了と同時に元の重なり位置まで戻す操作をシャッター操作といい、当該操作を行うモードをシャッターモードと呼ぶ。シャッター操作と引きずり操作とは、例えば、表示面にタッチする指の本数で区別することもできる。
【０１００】
また例えば、ユーザが表示面にタッチしトランプを飛ばすような動作（はじくような動作）をした場合には、時間とともに増加する量（図１６におけるスライド距離Ｘ０が時間とともに増加する）をオフセットとして、第２描画画面の重なり開始位置を設定する。当該操作のように、所定のタッチ操作で指定した方向に上に重ねられる描画画面を移動させ、以降は所定の慣性に従って移動させる操作を飛ばし操作といい、当該操作を行うモードを飛ばしモードと呼ぶ。
【０１０１】
次にステップＳＴ４２３において、重なり位置、具体的には重なり開始位置に従って、第２描画画面を重ねて描画する。例えば、表示面の右側へスライドアウトする場合には、第２描画画面の除去されていく左端が重なり開始位置に一致するように重ねて描画する。すなわち、重なり開始位置に一致させる第２描画画面の位置は、第２描画画面において画面左端からスライド距離Ｘ０だけオフセットされた位置である。
【０１０２】
第１描画画面上から除去された部分（図１６におけるＰ１）は、表示面に表示しない。この状態においては、第２描画画面が重ならないスライド距離Ｘ０の幅の第１描画画面の第１描画オブジェクトと、第２描画画面右端から幅Ｄ１分の、第２描画画面の第２描画オブジェクト（図１６におけるＰ２）とが、表示面に表示されることになる。
【０１０３】
上記のような合成描画画面の作成を順次行うことで、図１７に示す動作（カーテンスライドによるスライドアウト）が可能となる。図１７では、描画オブジェクトＡ、描画オブジェクトＢ、描画オブジェクトＣを描画した第１描画画面上に、描画オブジェクトａ、描画オブジェクトｂ、描画オブジェクトｃを描画した第２描画画面を重ねている。仮に、第１描画画面における第１注目点を描画オブジェクトＢ、第２描画画面における第２注目点を描画オブジェクトｂとする。
【０１０４】
図１７において、（１ａ）（２ａ）（３ａ）は、下側の第１描画画面と上側の第２描画画面とを、側面方向から見た模式図であり、（１ｂ）（２ｂ）（３ｂ）は、第１描画画面と第２描画画面とを上面方向から見た模式図である。
【０１０５】
ユーザの指で入力兼表示部１にタッチし、図における右方向に移動させていく（引きずり操作）。そうすると、上側の第２描画画面の重なり開始位置が順次更新され（１ａ→２ａ→３ａ、もしくは、１ｂ→２ｂ→３ｂ）、第２描画画面が表示位置を維持しながら連続的に、カーテンを引くようにスライドされて表示される（カーテンスライド）。
【０１０６】
（１ａ）および（１ｂ）の状態では、第１描画画面と第２描画画面とが完全に重なり、描画オブジェクトＡ、描画オブジェクトＢ、描画オブジェクトＣが第２背景描画オブジェクトにマスクされている。例えば、第１描画画面および第２描画画面において車両の周辺地図が示されている場合には、それぞれの描画画面における車両の現在位置が一致している（すなわち、第１注目点と第２注目点との地図上の位置が一致している）。なお、第２描画画面が第１描画画面に対して小さい画面であるときは、第２描画画面の大きさ分の第１描画画面上の領域に、第２描画画面が重なっていればよい。
【０１０７】
（２ａ）および（２ｂ）の状態では、描画オブジェクトｂおよび描画オブジェクトｃは表示面に表示されているが、一番左側の描画オブジェクトａが入力兼表示部１の表示面から除去され、表示されなくなる。一方で描画オブジェクトＡは表示されているが、描画オブジェクトＢは第２背景描画オブジェクトにマスクされ非表示となり、描画オブジェクトＣは第２背景描画オブジェクトにマスクされ非表示となる。またこのとき、上側の第２描画画面と下側の第１描画画面との相対位置関係は維持されている。すなわち、第１注目点と第２注目点とが、表示面上において常に一致している。
【０１０８】
（３ａ）および（３ｂ）の状態では、上側の第２描画画面がさらに右まで除去され、描画オブジェクトｂも入力兼表示部１の表示面から除去され、表示されなくなる。一方で描画オブジェクトＡおよび描画オブジェクトＢは表示されているが、描画オブジェクトＣは第２背景描画オブジェクトにマスクされ非表示となる。またこのとき、上側の第２描画画面と下側の第１描画画面との相対位置関係は維持されている。
【０１０９】
また、第２背景描画オブジェクトは単色のクリーム色として説明したが、例えば、図１７において、描画オブジェクトａ付近はクリーム色で、描画オブジェクトｃ付近はピンク色になるようにグラデーションがかかっている場合は、（１ａ），（２ａ），（３ａ）の描画オブジェクトｃ付近の描画背景色は、同一のピンクに近い色である。
【０１１０】
なお、上記では、カーテンスライドによるスライドアウトについて説明したが、カーテンスライドによるスライドイン、すなわち、地図描画画面が重なっていない状態（全ずれ状態）から、上に重ねた地図描画画面がその位置を維持しながら連続的に現れ、上にある地図描画画面が表示される表示領域となっていく場合の動作は、図１７の逆方向（図１７の（３ａ，３ｂ）→（２ａ，２ｂ）→（１ａ，１ｂ））となる。
【０１１１】
また、以上に示したスライド方法は、上に重ねられる地図描画画面の表示位置を維持しながら連続的に表示を切り替え、その表示領域を変動させることで下の地図描画画面が見える範囲を変化させるものである。スライドの方法は上記の場合に限らず、変動が進む方向（タッチ位置を中心に広がる等）、表示切り替え時の上の地図描画画面の表示方法（点滅やフェード）等、様々なバリエーションが考えられる。
【０１１２】
また、以上に示したスライド方法は、ユーザが第２描画画面が表示されているエリアのどこをタッチ等して操作してもスライド操作できたが、スライド操作を受け付ける第２描画画面が表示されている範囲を限定しても良い。例えば、第２描画画面が表示されている境界近傍でスライドを示すジェスチャーをした場合に第２描画画面のスライドを受けるように構成しても良い。
【０１１３】
また、スライド操作を受け付ける、第２描画画面上のエリアをアイコン等で表示しても良い。この場合、引きずり操作、飛ばし操作、単なるタッチ操作による通常の操作遷移を並存して受けつけることが可能となり、使い勝手の良い装置を提供することができる。
【０１１４】
また、上記では、第２背景描画オブジェクトを描画画面と同一の大きさのクリーム色の矩形オブジェクトと下が、矩形に拘るものではなく、台形、楕円形、穴あきオブジェクトであってもよく、また色彩も単色ではなくグラデーションや模様があってもよく、ユーザにとってデザインの良い表示を提供できる。
【０１１５】
また、上記では、第１描画オブジェクトおよび第２描画オブジェクトはそれぞれ第１情報格納部２、第２情報格納部３に格納されているとして説明したが、全体制御部４０２がソフトウェア処理により両方または一方の描画オブジェクトを生成してもよい。例えば、自車位置マークなどは全体制御部４０２がプログラムで作成してもよい。また、両方あるいは一方の背景描画オブジェクトを全体制御部４０２がソフトウェア処理で生成してもよい。
【０１１６】
また、上記では、矩形の描画オブジェクトである背景描画オブジェクトを描画画面にレンダリングする方法を説明したが、背景描画オブジェクトの生成方法はこの方法に拘るものではなく、例えば、描画画面そのものが背景描画オブジェクトに相当する背景色を生成する機能を有する場合は、全体制御部４０２がソフトウェア処理によって第１描画画面保持部４０４および第２描画画面保持部４０６の背景色を設定してよい。
【０１１７】
また、ハードウェア構造あるいはソフトウェア処理上、第１描画画面および第２描画画面の背景色の設定を合成描画部４０７が入力して生成する場合は、全体制御部４０２がソフトウェア処理によってそれぞれの背景色を設定してもよい。
【０１１８】
本発明でいう描画オブジェクトは、上記のようなソフトウェア処理によって最終的に入力兼表示部１に表示される表示物も含む概念である。
【０１１９】
次に、上記のスライド方法を用いた動作の具体例について説明する。
【０１２０】
図１８〜２２は、本実施の形態１による地図表示装置の動作の具体例を示す図である。図１８〜２２では、第２描画画面を全ずれ状態からカーテンスライドによって第１描画画面にスライドインさせた後に、第２描画画面の第２描画オブジェクトの透明度を変更する動作について示している。
【０１２１】
動作の前提として、第１情報描画部４０３は、図１８（ａ）に示す第１描画画面を形成し、第１描画画面保持部４０４に描画している。第１描画画面には、第１描画オブジェクトとしてカーナビゲーションの案内経路と自車位置とを含む地図が表示されている。また、第２情報描画部４０６は、図１８（ｂ）に示す第２描画画面を形成し、第２描画画面保持部４０６に描画している。第２描画画面には、第２描画オブジェクトとして第１描画オブジェクトの地図上の位置に対応付けられた立体形状の建物データを含む描画オブジェクトが表示されている。また、第２背景描画オブジェクトは透明である。または、存在しなくてもよい。
【０１２２】
図１９（ａ）に示すように、入力兼表示部１の表示面には、第１描画画面のみが表示されている。また、第１描画画面の左上には「３Ｄ」と記されたアイコンが表示されている。当該アイコンは、選択されることによって立体形状の建物を第２描画オブジェクトとした第２描画画面を表示するためのものである。なお、アイコンは、第１描画画面の任意の箇所に表示させることができる。
【０１２３】
図１９（ａ）の状態において、ユーザがアイコンを選択する（例えば、アイコン表示部分を指で押す）と、図１９（ｂ）に示すように、スライド操作エリアが第１描画画面の左端に表示される。
【０１２４】
図１９（ｂ）の状態において、ユーザがスライド操作エリアを第１描画画面の右方向に引きずり操作する（例えば、ユーザが指でスライド操作エリアをタッチして引きずり操作する）と、図１９（ｃ），（ｄ）に示すように、第２描画画面が第１描画画面の左端から徐々にスライドインして表示される。このとき、第２描画画面の背景は、第１描画画面と区別可能なように半透明で表示されている。なお、第２描画画面は、背景が半透明でなくてもよく、第１描画画面と区別可能なように表示されればよい。すなわち、スライド可能な画面（ここでは第２描画画面）が区別可能なように表示されればよい。
【０１２５】
図１９（ｃ），（ｄ）に示すように、引きずり操作を途中で止めて、ユーザが指を表示面から離すと、図２０（ａ）に示すように、引きずり操作を止めた箇所でスライド操作エリアが固定される。すなわち、カーテンスライドによってスライドインした第２描画画面の表示領域が決まる（第１描画画面の第１描画オブジェクトに対して第２描画画面の第２描画オブジェクトがマスクする領域が決まる）。このとき、第２描画画面の背景は半透明のままである。図２０（ａ）の状態において、ユーザが再度スライド操作エリアを引きずり操作すると、引きずり操作に従って、第２描画画面をカーテンスライドによるスライドインあるいはスライドアウトさせることができる。
【０１２６】
なお、図２０（ａ）では、引きずり操作を止めると、止めた箇所でスライド操作エリアが固定して表示されるが、図２０（ｂ）に示すように、スライド操作エリアに代えてアイコンを表示させてもよい。またこのとき、第２描画画面の背景を透明にしてもよい。また、図２０（ｂ）の状態でアイコンを選択すると、図２０（ａ）に示すような表示に戻り、ユーザは引きずり操作を再開することができる。
【０１２７】
引きずり操作によって第２描画画面を第１描画画面の右端までスライドさせると、図２１（ａ）に示すように、第２描画画面の全体が第１描画画面の全体に重なって表示される（全重ね状態）。すなわち、第２描画画面の第２描画オブジェクトのすべてが第１描画画面の第１描画オブジェクトをマスクした状態となる。このとき、表示画面の右端にスライド操作エリアを表示させる。
【０１２８】
なお、図２１（ａ）では、表示画面の右端にスライド操作エリアを表示させているが、図２１（ｂ）に示すように、表示画面の所定の箇所（図２１（ｂ）では表示画面の右下）にアイコンを表示させるようにしてもよい。すなわち、図２１（ａ），（ｂ）の状態において、スライド可能な第２描画画面が存在することをユーザが認識することができるようにすればよい。また、図２１（ｂ）の状態でユーザがアイコンを選択すると、図２１（ａ）に示すようなスライド操作エリアを表示するようにしてもよい。
【０１２９】
また、図２１（ａ）の状態において、ユーザがスライド操作エリアを表示画面の左方向に引きずり操作すると、引きずり操作に従って、第２描画画面をカーテンスライドによるスライドアウトさせることができる。具体的には、図２１（ａ）→図２０（ａ）→図１９（ｄ）→図１９（ｃ）→図１９（ｂ）の順に第２描画画面をスライドアウトさせることができる。
【０１３０】
また、図２１（ａ）の状態において、ユーザがスライド操作エリアを表示画面の左方向に飛ばし操作すると、図２１（ａ）の状態（全重ね状態）から図１９（ｂ）の状態（全ずれ状態）に一気に表示を変更させるようにしてもよい。
【０１３１】
図２１（ａ）に示すように、ユーザが引きずり操作を止めて指を表示面から離すと、図２２（ａ），（ｂ）に示すように、ユーザは第２描画画面の第２描画オブジェクトの透明度を変更することができるようになる。
【０１３２】
図２２（ａ）に示すように、案内経路の行き先が手前の建物９，１０で遮られて見えない場合において、ユーザは、例えば上述の引きずり操作あるいは飛ばし操作と同様の操作（ジェスチャー動作）を建物９，１０に対して行う（図２２（ａ）では右方向）と、図２２（ｂ）に示すように、建物９，１０が半透明表示される。なお、建物９，１０を透明表示にしてもよい。また、例えばユーザが建物９，１０に対して上記とは逆の方向（図２２（ｂ）の状態で左方向）に上述の引きずり操作あるいは飛ばし操作と同様の操作を行うと、建物９，１０の半透明表示を解除するようにしてもよい。
【０１３３】
上記より、ユーザは、図２２（ａ）では認識できなかった建物９，１０で隠れていた案内経路を容易に認識することができ、例えば交差点で右折した後の経路状況を知ることができる。
【０１３４】
なお、第２描画画面の第２描画オブジェクト（上記では建物）の透明度の変更は、図２０（ａ），（ｂ）に示すように、引きずり操作を途中で止めた状態であっても行うことができる。
【０１３５】
また、図２２（ａ）あるいは（ｂ）の状態において、ユーザがスライド操作エリアを表示画面の左方向に引きずり操作すると、引きずり操作に従って、第２描画画面をカーテンスライドによるスライドアウトさせることができる。具体的には、図２２（ａ）あるいは（ｂ）→図２０（ａ）→図１９（ｄ）→図１９（ｃ）→図１９（ｂ）の順に第２描画画面をスライドアウトさせることができる。
【０１３６】
また、図２２（ａ）あるいは（ｂ）の状態において、ユーザがスライド操作エリアを表示画面の左方向に飛ばし操作すると、図２０（ａ）あるいは（ｂ）の状態から図１９（ｂ）の状態となるように一気に第２描画画面をスライドアウトさせるようにしてもよい。
【０１３７】
また、図１８では、第２描画画面をカーテンスライドによってスライドインすることについて説明したが、第２描画画面をボードスライドによってスライドインするようにしてもよい。この場合、第２描画画面を図１９（ｂ）の状態（全ずれ状態）から図２１（ａ）の状態（全重ね状態）までスライドインした後に、図２２（ａ），（ｂ）に示すような第２描画画面の第２描画オブジェクト（上記では建物）の透明度の変更を行う。なお、第２描画画面の第２描画オブジェクト（上記では建物）の透明度の変更は、スライドインの途中で止めた状態（図２０（ａ）に示すような状態）で行うようにしてもよい。この場合、スライドインの途中において、第２描画画面の第２描画オブジェクトによって隠れた第１描画画面の第１描画オブジェクトを視認することができる。
【０１３８】
また、上記では、第２描画画面をスライドインさせて第１描画画面に重ねることについて説明したが、例えば、１つの描画画面（第１描画画面）上に平面地図（第３描画オブジェクト）と立体形状の建物（第４描画オブジェクト）とを表示し、立体形状の建物を指定して透明度を変更するようにしてもよい。
【０１３９】
図２３，２４は、本実施の形態１による地図表示装置の動作の他の具体例を示す図である。図２３，２４では、ユーザが指定した描画オブジェクトの色相を変化させることを特徴としている。すなわち、図４のステップＳＴ１６３において描画オブジェクトの色相を変化させている。なお、第２描画画面に対する処理は、図３のステップＳＴ１６で行うものとする。
【０１４０】
図２３（ａ）では、第１描画画面に第２描画画面が重ねて表示されている。第１描画画面には、第１描画オブジェクトとしてカーナビゲーションの経路（案内経路）と自車位置などの地図が表示されている。また、第２描画画面には、第２描画オブジェクトとして第１描画オブジェクトの地図上の位置に対応付けられた地物の情報に関する描画オブジェクトであるＰＯＩ（Ｐｏｉｎｔ  Ｏｆ  Ｉｎｔｅｒｅｓｔ）データを含む描画オブジェクトが表示されている。なお、第２描画オブジェクトは、ＰＯＩが表示される箇所以外は透明であるものとする。すなわち、第２背景描画オブジェクトは透明である。または、存在しなくてもよい。また、第２描画画面を第１描画画面に重ねて表示させる方法については、上記の図１８〜２２にて説明した各方法を用いることができる。
【０１４１】
図２３（ａ）の状態において、ユーザが、例えば上述の引きずり操作あるいは飛ばし操作と同様の操作（ジェスチャー動作）を第２描画画面に対して右方向へ一回行うと、第２描画画面の描画オブジェクト（図１９ではＰＯＩ）が特定され、図２３（ｂ）に示すように当該ＰＯＩの色相が暗くなる。
【０１４２】
また、図２３（ｂ）の状態において、ユーザが、例えば上述の引きずり操作あるいは飛ばし操作と同様の操作を第２描画画面に対して右方向へ一回行うと、図２３（ｃ）に示すようにＰＯＩの色相がさらに暗くなる。
【０１４３】
また、図２４（ｃ）（図２３（ｃ）に対応）の状態において、ユーザが、例えば上述の引きずり操作あるいは飛ばし操作と同様の操作を第２描画画面に対して左方向へ一回行うと、図２４（ｂ）（図２３（ｂ）に対応）に示すようにＰＯＩの色相が明るくなる。
【０１４４】
また、図２４（ｂ）（図２３（ｂ）に対応）の状態において、ユーザが、例えば上述の引きずり操作あるいは飛ばし操作と同様の操作を第２描画画面に対して左方向へ一回行うと、図２４（ａ）（図２３（ａ）に対応）に示すようにＰＯＩの色相がさらに明るくなる。
【０１４５】
上記より、ユーザは、第２描画画面内の描画オブジェクト（図２３，２４ではＰＯＩ）の色相を任意に変化させることができ、目的に応じた見やすい表示とすることができる。
【０１４６】
以上のことから、本実施の形態１によれば、複数の地図描画画面を表示面に表示する場合において、各地図描画画面における描画オブジェクト間の関係性の把握を容易にでき、かつユーザの操作性を向上させることが可能となる。
【０１４７】
なお、本実施の形態１では、図４のステップＳＴ１６３にて行われる第２描画画面の第２描画オブジェクトに対する透過率（透明度）は予め定められた値であるが、ユーザが自身の好みに応じて任意の透過率を設定することができる手段を設けてもよい。
【０１４８】
また、本実施の形態１では、第２描画画面に表示される特定の描画オブジェクトを透明あるいは半透明にしているが、第２描画画面全体を一様に透明あるいは半透明にするようにしてもよい。
【０１４９】
また、本実施の形態１では、第２描画画面に表示される特定の描画オブジェクトに対して一回のジェスチャー動作を行うことによって所定の透過率（透明度）に変更するようにしたが、ユーザがジェスチャー動作を繰り返すごとに透過率を変更するようにしてもよい。このとき、ジェスチャー動作の方向に従って透過率の濃淡を変更するようにしてもよい。
【０１５０】
また、ジェスチャー動作による透過率の変更の一例として、１点タッチ（例えば、描画画面に表示される描画オブジェクトの１点をタッチしたままスライドさせる動作）によって段階的な透過率の変更を行い、２点タッチ（例えば、描画画面に表示される描画オブジェクト上の２点をタッチしたままスライドさせる動作）によって最小の透過率とし、当該２点タッチのジェスチャー動作の方向とは反対方向に２点タッチでジェスチャー動作することによって元の透過率（透過なし）に変更してもよい。
【０１５１】
また、ジェスチャー動作による透過率の変更の他の例としてジェスチャー動作の向きや早さによって透過率を変更してもよい。例えば、ジェスチャー動作が速い場合は上記の２点タッチによるジェスチャー動作に相当させてもよく、また、上下方向のジェスチャー動作と左右方向のジェスチャー動作とで透過率を変更するようにしてもよい。
【０１５２】
また、本実施の形態１では、第１描画画面に第２描画画面を重ねて表示させているが、第１描画画面に重ねる描画画面は複数あってもよい。例えば、第２描画画面とは別に第３の描画画面を準備し、第２描画画面の第２描画オブジェクトは立体形状の建物であり、第３描画画面の第３描画オブジェクトをＰＯＩとすることができる。この場合、第２描画画面と第３描画画面とを区別するために、各描画画面が存在することを示すアイコンをそれぞれ表示面に表示させるようにしてもよい。
【０１５３】
また、本実施の形態１では、第１描画オブジェクトは道路情報であり、第２描画オブジェクトは立体形状の建物の情報（３次元立体画像）を例に説明したが、第２描画オブジェクトを図１９，２０に示すようなＰＯＩ情報、高架道路情報、高速道路情報、任意の登録地点情報に関する描画オブジェクトとしてもよい。
【０１５４】
また、本実施の形態１では、第２描画画面の第２描画オブジェクトとして立体形状の建物（３次元立体画像）を例に説明したが、人口建造物だけでなく山など自然立体地物（地物）を描画オブジェクトとしてもよい。
【０１５５】
また、本実施の形態１では、第１描画画面の第１描画オブジェクトとして２次元地図を例に説明したが、バードビュー（登録商標）地図など他の表現方法による描画オブジェクトであってもよい。
【０１５６】
また、入力兼表示部１は表示面を有し、第１描画画面の大きさは表示面の全体に対応し、第２画面の大きさは表示面の一部に対応するようにしてもよい。
【０１５７】
また、本実施の形態１による入力兼表示部１は、ユーザの入力情報を受け取る入力部と、受け取った入力情報や制御部４による動作制御に基づく地図描画画面を表示する表示部とが一体となった構成であるが、これらの機能を実現する構成が別々に備えられるものであってもよい。
【０１５８】
また、本実施の形態１のようにタッチパネルを用い、ジェスチャー操作によって描画画面の重なりを変動させれば、操作が容易である。すなわち、従来の地図表示装置の制御は、タッチパネルに表示された操作アイコンをタッチすることや、機械的なスイッチやダイアル操作によって行われており、必ずしも使い勝手の良いユーザインタフェースではなかったが、本発明のように、いわゆるスマートフォン等と呼ばれる、タッチパネルを有する携帯端末に代表されているようなジェスチャー操作を用いることによって、使い勝手の良いユーザインタフェースを実現できる。
【０１５９】
よって、例えば車両に搭載された地図表示装置の操作を行う場合のような、操作時間に限りがある場合等に有効である。さらに、重なりの変動の自由度（移動方向や導入除去の際の効果等）が高く、ユーザの娯楽的な要素も含めた要求に応えることができる。
【０１６０】
また、タッチパネル等の操作に慣れたユーザが親しみやすい入力モードを提供できる。
【０１６１】
また、入力兼表示部１は、通常のタッチパネルに限らず、静電容量検出型のタッチパネルを用いて、指の近接および接触を検知可能な３次元タッチパネルであってもよい。
【０１６２】
また、本実施の形態におけるスライド方法は例示であり、上記のスライド表示モードにおいて、スライド方法以外の方法による地図描画画面の更新が可能であってもよい。
【０１６３】
なお、本発明は、その発明の範囲内において、実施の形態を適宜、変形、省略することが可能である。
【符号の説明】
【０１６４】
１  入力兼表示部、２  第１情報格納部、３  第２情報格納部、４  制御部、５〜１０建物、４０１  入力解析部、４０２  全体制御部、４０３  第１情報描画部、４０４  第１描画画面保持部、４０５  第２情報描画部、４０６  第２描画画面保持部、４０７  合成描画部、４０８  合成描画画面保持部。
【図１】
2013105256.tif 000003
【図２】
2013105256.tif 000004
【図３】
2013105256.tif 000005
【図４】
2013105256.tif 000006
【図５】
2013105256.tif 000007
【図６】
2013105256.tif 000008
【図７】
2013105256.tif 000009
【図８】
2013105256.tif 000010
【図９】
2013105256.tif 000011
【図１０】
2013105256.tif 000012
【図１１】
2013105256.tif 000013
【図１２】
2013105256.tif 000014
【図１３】
2013105256.tif 000015
【図１４】
2013105256.tif 000016
【図１５】
2013105256.tif 000017
【図１６】
2013105256.tif 000018
【図１７】
2013105256.tif 000019
【図１８】
2013105256.tif 000020
【図１９】
2013105256.tif 000021
【図２０】
2013105256.tif 000022
【図２１】
2013105256.tif 000023
【図２２】
2013105256.tif 000024
【図２３】
2013105256.tif 000025
【図２４】
2013105256.tif 000026
【手続補正書】
【提出日】平成26年1月16日(2014.1.16)
【手続補正１】
【補正対象書類名】特許請求の範囲
【補正対象項目名】全文
【補正方法】変更
【補正の内容】
【特許請求の範囲】
【請求項１】
第１描画画面および第２描画画面を含む複数の描画画面を、少なくとも部分的に重ね表示可能な地図表示装置において、
前記第１描画画面は、地図情報に関する第１描画オブジェクト群を表示し、
前記第２描画画面は、前記第１描画オブジェクト群を補完し、前記地図情報に関連する地物の情報に関する第２描画オブジェクト群を表示し、
前記第１描画画面および前記第２描画画面の重なり部分では、前記第１描画画面上に前記第２描画画面が重畳され、
前記第１描画画面および前記第２描画画面は、同じまたは異なる大きさであって、
ユーザの描画画面表示に関する操作入力を受け付ける入力部（１）と、
前記入力部（１）で受け付けたユーザの操作入力に応じて、前記第１描画画面に対して前記第２描画画面をスライドさせることによって、前記第１描画画面および前記第２描画画面の重なり具合を連続的に変化させた後、さらに前記入力部（１）で受け付けたユーザの操作入力に応じて、前記重なり具合が制御された前記第２描画オブジェクト群のうち前記ユーザによって指定された描画オブジェクトの透明度または色相を制御して表示部（１）に出力する制御部（４）と、
を備えることを特徴とする、地図表示装置。
【請求項２】
第１描画画面および第２描画画面を含む複数の描画画面を、少なくとも部分的に重ね表示可能な地図表示装置において、
前記第１描画画面は、地図情報に関する第１エリア群を表示し、
前記第２描画画面は、前記第１エリア群を補完し、前記地図情報に関連する地物の情報に関する第２エリア群を表示し、
前記第１描画画面および前記第２描画画面の重なり部分では、前記第１描画画面上に前記第２描画画面が重畳され、
前記第１描画画面および前記第２描画画面は、同じまたは異なる大きさであって、
ユーザの描画画面表示に関する操作入力を受け付ける入力部（１）と、
前記入力部（１）で受け付けたユーザの操作入力に応じて、前記第１描画画面に対して前記第２描画画面をスライドさせることによって、前記第１描画画面および前記第２描画画面の重なり具合を連続的に変化させた後、さらに前記入力部（１）で受け付けたユーザの操作入力に応じて、前記重なり具合が制御された前記第２エリア群のうち前記ユーザによって指定されたエリアの透明度または色相を制御して表示部（１）に出力する制御部（４）と、
を備えることを特徴とする、地図表示装置。
【請求項３】
前記第１描画オブジェクト群は、道路情報に関する描画オブジェクトを含み、
前記第２描画オブジェクト群は、前記地物の立体表示情報に関する描画オブジェクトであることを特徴とする、請求項１に記載の地図表示装置。
【請求項４】
前記第２描画オブジェクト群は、前記第１描画オブジェクト群の地図上の位置に対応付けられた前記地物の情報に関するＰＯＩであることを特徴とする、請求項１に記載の地図表示装置。
【請求項５】
前記ユーザの操作はジェスチャー動作であり、
前記制御部（４）は、前記ジェスチャー動作に応じて、前記スライドを制御し、前記第２描画オブジェクト群のうち前記ユーザによって指定された描画オブジェクトの前記透明度または前記色相を制御することを特徴とする、請求項１に記載の地図表示装置。
【請求項６】
前記制御部（４）は、同一方向への前記ジェスチャー動作を繰り返すごとに前記透明度または前記色相を変化させる制御を行うことを特徴とする、請求項５に記載の地図表示装置。
【請求項７】
前記制御部（４）は、前記同一方向とは反対方向への前記ジェスチャー動作を繰り返すごとに、前記透明度または前記色相を元に戻すよう変化させる制御を行うことを特徴とする、請求項６に記載の地図表示装置。
【請求項８】
前記制御部（４）は、前記指定された描画オブジェクトの１点または２点をタッチする前記ジェスチャー動作に応じて、前記透明度または前記色相を変化させる制御を行うことを特徴とする、請求項５に記載の地図表示装置。
【請求項９】
前記制御部（４）は、前記表示部（１）に前記第２描画画面が表示されていない場合において、前記第２描画画面を前記表示部（１）に表示させるためのアイコンを表示するよう制御することを特徴とする、請求項１に記載の地図表示装置。
【請求項１０】
前記道路情報は、経路情報を含むことを特徴とする、請求項３に記載の地図表示装置。
【請求項１１】
前記第１描画オブジェクト群および前記第２描画オブジェクト群は、道路情報に関する描画オブジェクトであることを特徴とする、請求項１に記載の地図表示装置。
【請求項１２】
前記第２描画画面において、前記第２描画オブジェクト群の色相は有色であり、前記第２描画オブジェクト群以外の描画オブジェクトは透明であることを特徴とする、請求項１に記載の地図表示装置。
【請求項１３】
第１描画画面および第２描画画面を含む複数の描画画面を、少なくとも部分的に重ねて表示する地図表示方法において、当該地図表示方法は、入力部、表示部、および制御部を備えるコンピュータの動作によって実現され、
前記第１描画画面は、平面地図またはバードビュー（登録商標）地図における地図情報に関する第１描画オブジェクト群を表示し、
前記第２描画画面は、前記第１描画オブジェクト群を補完し、前記地図情報に関連する地物の情報に関する第２描画オブジェクト群を表示し、
前記第１描画画面および前記第２描画画面の重なり部分では、前記第１描画画面上に前記第２描画画面が重畳され、
前記第１描画画面および前記第２描画画面は、同じまたは異なる大きさであって、
（ａ）前記入力部が、ユーザの描画画面表示に関する操作入力を受け付けるステップと、
（ｂ）前記表示部が、前記複数の描画画面の描画画面表示を行うステップと、
（ｃ）前記制御部が、前記ステップ（ｂ）に先立って、前記ステップ（ａ）で受け付けたユーザの操作入力に応じて、前記第１描画画面および前記第２描画画面の重なり部分では、前記第１描画画面上に前記第２描画画面が重畳され、前記第１描画画面に対して前記第２描画画面をスライドさせることによって、前記第１描画画面および前記第２描画画面の重なり具合を連続的に変化させた後、さらに前記ステップ（ａ）で受け付けたユーザの操作入力に応じて、前記重なり具合が制御された前記第２描画オブジェクト群のうち前記ユーザによって指定された描画オブジェクトの透明度または色相を制御するステップと、
を備えることを特徴とする、地図表示方法。
【手続補正２】
【補正対象書類名】明細書
【補正対象項目名】０００９
【補正方法】変更
【補正の内容】
【０００９】
上記の課題を解決するために、本発明による地図表示装置は、第１描画画面および第２描画画面を含む複数の描画画面を、少なくとも部分的に重ね表示可能な地図表示装置において、第１描画画面は、地図情報に関する第１描画オブジェクト群を表示し、第２描画画面は、第１描画オブジェクト群を補完し、地図情報に関連する地物の情報に関する第２描画オブジェクト群を表示し、第１描画画面および第２描画画面の重なり部分では、第１描画画面上に第２描画画面が重畳され、第１描画画面および第２描画画面は、同じまたは異なる大きさであって、ユーザの描画画面表示に関する操作入力を受け付ける入力部（１）と、入力部（１）で受け付けたユーザの操作入力に応じて、第１描画画面に対して第２描画画面をスライドさせることによって、第１描画画面および第２描画画面の重なり具合を連続的に変化させた後、さらに入力部（１）で受け付けたユーザの操作入力に応じて、重なり具合が制御された第２描画オブジェクト群のうちユーザによって指定された描画オブジェクトの透明度または色相を制御して表示部（１）に出力する制御部（４）とを備えることを特徴とする。
【手続補正３】
【補正対象書類名】明細書
【補正対象項目名】００１０
【補正方法】変更
【補正の内容】
【００１０】
また、本発明による地図表示方法は、第１描画画面および第２描画画面を含む複数の描画画面を、少なくとも部分的に重ねて表示する地図表示方法において、当該地図表示方法は、入力部、表示部、および制御部を備えるコンピュータの動作によって実現され、第１描画画面は、平面地図またはバードビュー（登録商標）地図における地図情報に関する第１描画オブジェクト群を表示し、第２描画画面は、第１描画オブジェクト群を補完し、地図情報に関連する地物の情報に関する第２描画オブジェクト群を表示し、第１描画画面および第２描画画面の重なり部分では、第１描画画面上に第２描画画面が重畳され、第１描画画面および第２描画画面は、同じまたは異なる大きさであって、（ａ）入力部が、ユーザの描画画面表示に関する操作入力を受け付けるステップと、（ｂ）表示部が、複数の描画画面の描画画面表示を行うステップと、（ｃ）制御部が、ステップ（ｂ）に先立って、ステップ（ａ）で受け付けたユーザの操作入力に応じて、第１描画画面および第２描画画面の重なり部分では、第１描画画面上に第２描画画面が重畳され、第１描画画面に対して第２描画画面をスライドさせることによって、第１描画画面および第２描画画面の重なり具合を連続的に変化させた後、さらにステップ（ａ）で受け付けたユーザの操作入力に応じて、重なり具合が制御された第２描画オブジェクト群のうちユーザによって指定された描画オブジェクトの透明度または色相を制御するステップとを備えることを特徴とする。
【手続補正４】
【補正対象書類名】明細書
【補正対象項目名】００１１
【補正方法】変更
【補正の内容】
【００１１】
本発明によれば、第１描画画面および第２描画画面を含む複数の描画画面を、少なくとも部分的に重ね表示可能な地図表示装置において、第１描画画面は、地図情報に関する第１描画オブジェクト群を表示し、第２描画画面は、第１描画オブジェクト群を補完し、地図情報に関連する地物の情報に関する第２描画オブジェクト群を表示し、第１描画画面および第２描画画面の重なり部分では、第１描画画面上に第２描画画面が重畳され、第１描画画面および第２描画画面は、同じまたは異なる大きさであって、ユーザの描画画面表示に関する操作入力を受け付ける入力部（１）と、入力部（１）で受け付けたユーザの操作入力に応じて、第１描画画面に対して第２描画画面をスライドさせることによって、第１描画画面および第２描画画面の重なり具合を連続的に変化させた後、さらに入力部（１）で受け付けたユーザの操作入力に応じて、重なり具合が制御された第２描画オブジェクト群のうちユーザによって指定された描画オブジェクトの透明度または色相を制御して表示部（１）に出力する制御部（４）とを備えるため、複数の地図画面を表示面に表示する場合において、各画面における情報の関係性の把握を容易にでき、かつユーザの操作性を向上させることが可能となる。
【手続補正５】
【補正対象書類名】明細書
【補正対象項目名】００１２
【補正方法】変更
【補正の内容】
【００１２】
また、本発明によれば、第１描画画面および第２描画画面を含む複数の描画画面を、少なくとも部分的に重ねて表示する地図表示方法において、当該地図表示方法は、入力部、表示部、および制御部を備えるコンピュータの動作によって実現され、第１描画画面は、平面地図またはバードビュー（登録商標）地図における地図情報に関する第１描画オブジェクト群を表示し、第２描画画面は、第１描画オブジェクト群を補完し、地図情報に関連する地物の情報に関する第２描画オブジェクト群を表示し、第１描画画面および第２描画画面の重なり部分では、第１描画画面上に第２描画画面が重畳され、第１描画画面および第２描画画面は、同じまたは異なる大きさであって、（ａ）入力部が、ユーザの描画画面表示に関する操作入力を受け付けるステップと、（ｂ）表示部が、複数の描画画面の描画画面表示を行うステップと、（ｃ）制御部が、ステップ（ｂ）に先立って、ステップ（ａ）で受け付けたユーザの操作入力に応じて、第１描画画面および第２描画画面の重なり部分では、第１描画画面上に第２描画画面が重畳され、第１描画画面に対して第２描画画面をスライドさせることによって、第１描画画面および第２描画画面の重なり具合を連続的に変化させた後、さらにステップ（ａ）で受け付けたユーザの操作入力に応じて、重なり具合が制御された第２描画オブジェクト群のうちユーザによって指定された描画オブジェクトの透明度または色相を制御するステップとを備えるため、複数の地図画面を表示面に表示する場合において、各画面における情報の関係性の把握を容易にでき、かつユーザの操作性を向上させることが可能となる。
【国際調査報告】
2013105256.tif 000027
2013105256.tif 000028
2013105256.tif 000029
2013105256.tif 000030
2013105256.tif 000031
2013105256.tif 000032
2013105256.tif 000033